(57)【要約】      （修正有）【課題】衣類防塵カバー内部を真空密封状態にし、排気管を開口位置に折り畳んで収蔵し、カバーが防塵、防湿効果を達成することができる真空圧縮衣類防塵カバーの提供。【解決手段】本構造は、主に、衣類防塵カバーにハンガーを係入する封閉式の湾曲フックを増設し、カバーの末端開口に排気管を設置し、開口位置と排気管は層状畳合設置方式で、開口位置と排気管内部二側は静電処理した面層を設置し、この静電処理した面層は静電気処理により静電気の影響を受けやすく、二側の静電処理した面層は密封粘結特性を有し、掃除機により排気管からカバー内部の空気を抽出し、静電処理した面層の密封粘結による。【選択図】    図１
0003137508.tif 000002
【実用新案登録請求の範囲】
【請求項１】
真空圧縮衣類防塵カバーであって、前記カバー頂部に湾曲フックを設置し、開口位置に排気管を設置し、前記開口位置と前記排気管内部二側は静面層を設置し、前記静面層は静電気処理により相互接触密封粘結し、その特徴は、前記開口位置と前記排気管の設置は層状畳合方式で、前記カバー外側の排気管は、折り畳んで前記架バー開口位置に収蔵されることを特徴とする真空圧縮衣類防塵カバー。
【請求項２】
袋体の前記開口箇所の静電層間に、隔離層を増設し、前記カバーが開けやすいことを特徴とする請求項１に記載の真空圧縮衣類防塵カバー。
【請求項３】
前記排気管の設置位置は、前記フック部と一体に連接されるか、或いは、直接カバー表面に設置することを特徴とする請求項１に記載の真空圧縮衣類防塵カバー。
【考案の詳細な説明】
【技術分野】
【０００１】
本考案は真空圧縮衣類防塵カバーに関し、主に、衣類防塵カバーに封閉式湾曲フックを増設し、カバー末端開口位置に、排気管を設置し、開口位置と排気管は層状畳合設置方式をなし、開口位置と排気管内部二側に設置された静面層を利用し、二側静面層を密封粘結して、排気管によりカバー内部の空気を抜き取り、衣類防塵カバー内部を真空密封状態にして、防塵、防湿効果を達成する衣類カバーに関する。
【背景技術】
【０００２】
日常生活中、衣類の収納方式は、一般に、多くが、ハンガーに吊るしてラック内に収納するが、衣類は更に衣類カバーを使用して、衣類を守り、着用時の外観を維持する。しかし、カバー内部は空気が存在し、ラック内の収納空間が狭くなる。また、空気中には水分を含んでおり、カバー内で流動できないことから、衣類が湿気を含み、布が傷む。
【０００３】
上述の防塵カバーの使用問題に関し、考案者はこの問題に対して、中華民国で特許公告第３４８７２０号の衣類収納袋を開示し、防塵カバー上に弁を増設し、防塵カバー開口位置に組接式圧棒を設置し、単一方向の弁により内部の空気を抽出して、内部を真空状態にし、衣類を圧縮する功能と同時に、防塵、防湿の効果を達成する。しかし、弁と圧棒の設計は防塵袋の製作を困難にし、現在、衣類防塵カバーは消費者のニーズを満たさず、改善が待たれる。
【考案の開示】
【考案が解決しようとする課題】
【０００４】
本考案の目的は、上述の問題を改善する防塵カバーを提供することにある。
【課題を解決するための手段】
【０００５】
本考案の防塵カバーは、開口位置に排気管を設置し、静面処理の静面層を開口位置と排気管内部二側に設置し、静面層は、静電気により相互粘結する効果を利用し、衣類防塵カバーは封閉空間を形成し、掃除機により排気管から空気を抽出すると共に、排気管は開口位置内側に折り畳まれて収蔵され、同時に、衣類を防塵カバーの空間で圧縮し、防塵、防湿効果を達成する。
【０００６】
本考案の衣類防塵カバーは、頂部に湾曲フックを増設し、ハンガーのヘッドを係入し、衣類を入れた衣類防塵カバーが吊るしやすくなり、カバー末端開口位置に設置された排気管は、層状畳合設置方式を採用し、開口位置と排気管内部二側に静面層を設置し、静面層は静電気処理により静電気の影響を受け、二側静面層は密封粘結特性を有し、静面層が互いに接触して密封粘結し、掃除機により排気管から内部の空気を抽出し、衣類防塵カバー内が真空状態になり、排気管を開口位置に折り畳んで収蔵する。
【考案の効果】
【０００７】
本考案の真空圧縮衣類防塵カバーは、排気管によりカバー内の空気を抽出して、カバー内部を真空密封状態にし、排気管を折り畳んでカバーの開口位置に収蔵でき、排気管の損傷を防止する。
【考案を実施するための最良の形態】
【０００８】
図１〜図３は本考案の真空圧縮衣類防塵カバーを示す図で、主に、カバー１０上に湾曲フック１１と排気管１２を増設し、フック部はカバー頂部に設置され、衣類をハンガーと共にカバー内に放入することができ、フック部はハンガーヘッドを係入する。排気管はカバー末端開口位置に設置され、開口位置と排気管は層状畳合方式で、開口位置と排気管内部二側は静面層１３を設置し、この静面層は静電気処理により静電気の影響を受けやすく、二側静面層により互いに接触密封粘結し、衣類防塵カバーを密封のカバー体にする。袋体の開口位置に一層の隔離層１４を設置し、隔離層の大きさは静面層の約半分で、隔離層の設置により、衣類防塵カバーを開くのが便利である。
【０００９】
図４で示されるように、掃除機により排気管１２から防塵カバー内部の空気を抽出し、排気管内側静面が互いに接触し、カバー内部を密封真空状にし、同時に、カバーを圧縮し、防塵、防湿効果を達成する。カバー外側の排気管は、折り畳み方式でカバー１０の開口位置に収蔵され（図５）、衣類防塵カバーの外観が美観である以外に、排気管が損傷を受けるのを減少させ、カバーの重複使用を可能にする。この他、図６〜図８で示されるように、カバー上の排気管の設置位置は、フック部に連接するか、或いは、直接カバー表面に設置してもよい。
【００１０】
本考案の真空圧縮衣類防塵カバーは、主に、排気管１２を開口位置に設置し、開口と排気管の設置は層状畳合方式で、静面層１３によりカバーを密封し、排気管によりカバー内の空気を抽出して、カバー内部を真空密封状態にし、排気管を折り畳んでカバー１０の開口位置に収蔵でき、排気管の損傷を防止する。
【００１１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１２】
【図１】本考案の構造立体図である。
【図２】本考案の局部立体断面図である。
【図３】本考案の局部実施図である。
【図４】本考案の局部実施図である。
【図５】本考案の局部実施図である。
【図６】本考案のもう一つの実施例図である。
【図７】本考案のもう一つの実施例図である。
【図８】本考案のもう一つの実施例図である。
【符号の説明】
【００１３】
１０  カバー
１１  フック部
１２  排気管
１３  静面層
１４  隔離層
【図１】
0003137508.tif 000003
【図２】
0003137508.tif 000004
【図３】
0003137508.tif 000005
【図４】
0003137508.tif 000006
【図５】
0003137508.tif 000007
【図６】
0003137508.tif 000008
【図７】
0003137508.tif 000009
【図８】
0003137508.tif 000010
【手続補正書】
【提出日】平成19年6月21日(2007.6.21)
【手続補正１】
【補正対象書類名】実用新案登録請求の範囲
【補正対象項目名】請求項１
【補正方法】変更
【補正の内容】
【請求項１】
真空圧縮衣類防塵カバーであって、前記カバー頂部に湾曲フックを設置し、開口位置に排気管を設置し、前記開口位置と前記排気管内部二側は静電処理した面層を設置し、前記静電処理した面層が相互接触密封粘結し、その特徴は、前記開口位置と前記排気管の設置は層状畳合方式で、前記カバー外側の排気管は、折り畳んで前記カバー開口位置に収蔵されることを特徴とする真空圧縮衣類防塵カバー。
【手続補正２】
【補正対象書類名】実用新案登録請求の範囲
【補正対象項目名】請求項２
【補正方法】変更
【補正の内容】
【請求項２】
袋体の前記開口箇所の静電処理した面層間に、隔離層を増設し、前記カバーが開けやすいことを特徴とする請求項１に記載の真空圧縮衣類防塵カバー。
【手続補正３】
【補正対象書類名】明細書
【補正対象項目名】０００１
【補正方法】変更
【補正の内容】
【０００１】  本考案は真空圧縮衣類防塵カバーに関し、主に、衣類防塵カバーに封閉式湾曲フックを増設し、カバー末端開口位置に、排気管を設置し、開口位置と排気管は層状畳合設置方式をなし、開口位置と排気管内部二側に設置された静電処理した面層を利用し、二側の静電処理した面層を密封粘結して、排気管によりカバー内部の空気を抜き取り、衣類防塵カバー内部を真空密封状態にして、防塵、防湿効果を達成する衣類カバーに関する。
【手続補正４】
【補正対象書類名】明細書
【補正対象項目名】０００６
【補正方法】変更
【補正の内容】
【０００６】本考案の防塵カバーは、開口位置に排気管を設置し、静電処理した面層を開口位置と排気管内部二側に設置し、静電処理した面層は、静電気により相互粘結する効果を利用し、衣類防塵カバーは封閉空間を形成し、掃除機により排気管から空気を抽出すると共に、排気管は開口位置内側に折り畳まれて収蔵され、同時に、衣類を防塵カバーの空間で圧縮し、防塵、防湿効果を達成する。
【手続補正５】
【補正対象書類名】明細書
【補正対象項目名】０００７
【補正方法】変更
【補正の内容】
【０００７】本考案の衣類防塵カバーは、頂部に湾曲フックを増設し、ハンガーのヘッドを係入し、衣類を入れた衣類防塵カバーが吊るしやすくなり、カバー末端開口位置に設置された排気管は、層状畳合設置方式を採用し、開口位置と排気管内部二側に静電処理した面層を設置し、静電処理した面層は静電気処理により静電気の影響を受け、二側の静電処理した面層は密封粘結特性を有し、静電処理した面層が互いに接触して密封粘結し、掃除機により排気管から内部の空気を抽出し、衣類防塵カバー内が真空状態になり、排気管を開口位置に折り畳んで収蔵する。
【手続補正６】
【補正対象書類名】明細書
【補正対象項目名】０００９
【補正方法】変更
【補正の内容】
【０００９】図１〜図３は本考案の真空圧縮衣類防塵カバーを示す図で、主に、カバー１０上に湾曲フック１１と排気管１２を増設し、フック部はカバー頂部に設置され、衣類をハンガーと共にカバー内に放入することができ、フック部はハンガーヘッドを係入する。排気管はカバー末端開口位置に設置され、開口位置と排気管は層状畳合方式で、開口位置と排気管内部二側は静電処理した面層１３を設置し、この静電処理した面層は静電気処理により静電気の影響を受けやすく、二側の静電処理した面層により互いに接触密封粘結し、衣類防塵カバーを密封のカバー体にする。袋体の開口位置に一層の隔離層１４を設置し、隔離層の大きさは静電処理した面層の約半分で、隔離層の設置により、衣類防塵カバーを開くのが便利である。
【手続補正７】
【補正対象書類名】明細書
【補正対象項目名】００１１
【補正方法】変更
【補正の内容】
【００１１】本考案の真空圧縮衣類防塵カバーは、主に、排気管１２を開口位置に設置し、開口と排気管の設置は層状畳合方式で、静電処理した面層１３によりカバーを密封し、排気管によりカバー内の空気を抽出して、カバー内部を真空密封状態にし、排気管を折り畳んでカバー１０の開口位置に収蔵でき、排気管の損傷を防止する。
【手続補正８】
【補正対象書類名】明細書
【補正対象項目名】００１５
【補正方法】変更
【補正の内容】
【００１５】１０  カバー１１  フック部１２  排気管１３  静電処理した面層１４  隔離層